(57)【特許請求の範囲】
【請求項１】
身体支持部と、前記身体支持部に立設された側壁と、を有し、
前記側壁には、使用状態において先端が前記側壁よりも突出したマッサージ部が設けられ、
前記マッサージ部は、エアセルと、ベース部を有し、前記ベース部の内側に、使用状態において先端が前記側壁よりも突出した前記エアセルを有し、
前記エアセルは、前記側壁を反力受けとして膨張収縮し、
前記マッサージ部の先端の位置を前記身体支持部側へ位置変更させる位置変更手段を有し、
前記位置変更手段は、前記側壁に対して前記マッサージ部を回動可能に保持し、前記マッサージ部を前記側壁側へ付勢する付勢手段を有し、
前記位置変更手段により、前記マッサージ部を使用してマッサージを行う使用状態と、前記マッサージ部の先端の位置が前記側壁の先端よりも前記身体支持部側へ位置する梱包状態と、を切替可能であることを特徴とするマッサージ機。
【請求項２】
前記位置変更手段は、前記マッサージ部を出退可能に保持していることを特徴とする請求項１に記載のマッサージ機
【請求項３】
前記位置変更手段は、ロック機構を有しており、
前記ロック機構は、前記マッサージ部の位置を維持できることを特徴とする請求項１又は２に記載のマッサージ機
【請求項４】
前記マッサージ機は、背凭れ部と、座部と、フットレストと、肘掛け部と、を有しており、
前記背凭れ部と、前記座部と、前記フットレストと、前記肘掛け部には、夫々身体支持部が設けられており、
少なくとも前記背凭れ部の身体支持部に前記マッサージ部が設けられることを特徴とする請求項１〜３のいずれかに記載のマッサージ機。
【請求項５】
前記マッサージ機は、
前記座部に対して、背凭れ部を起倒させるリクライニング機構を有しており、
前記マッサージ機は、背凭れ部を倒した状態で梱包され、
梱包された前記背凭れ部のマッサージ部は、マッサージ部の先端の位置を身体支持部側へ位置変更させた状態となることを特徴とする請求項４に記載のマッサージ機。
【発明の詳細な説明】
【技術分野】
【０００１】
本発明は、マッサージ機に関する。
【背景技術】
【０００２】
従来から、背凭れ部の左右両側に互いに対向配置され且つ使用者の体の側部にマッサージを施す椅子型マッサージ機が周知となっている。また、使用者の体の側部にマッサージを施すマッサージ手段が、突出させた使用状態と、後方へ後退した収納状態となる椅子型マッサージ機が提案されている（例えば、特許文献１）。
【先行技術文献】
【特許文献】
【０００３】
【特許文献１】特開２０１０−１６７１５４号公報
【発明の概要】
【発明が解決しようとする課題】
【０００４】
しかし、特許文献１に記載の様なマッサージ機は、マッサージ手段を背凭れ部の側部に収納することが可能であるが、進退させる機構が大がかりになってしまうという問題がある。
また、身体（例えば、胸部）を前側（又は上側）から施療する場合、マッサージ手段を前方へ突出させる必要があるが、マッサージ手段を前方へ突出させた状態で梱包すると梱包のサイズが大きくなってしまうという問題がある。
本発明においては、上記問題点に鑑み、身体の前側から施療を可能としつつも、簡単な構造で、梱包サイズを小さくできるマッサージ機を提供することを目的とする。
【課題を解決するための手段】
【０００５】
本発明は、身体支持部と、前記身体支持部に立設された側壁と、を有し、前記側壁には、使用状態において先端が前記側壁よりも突出したマッサージ部が設けられ、前記マッサージ部は、エアセルと、ベース部を有し、前記ベース部の内側に、使用状態において先端が前記側壁よりも突出した前記エアセルを有し、前記エアセルは、前記側壁を反力受けとして膨張収縮し、前記マッサージ部の先端の位置を前記身体支持部側へ位置変更させる位置変更手段を有し、前記位置変更手段は、前記側壁に対して前記マッサージ部を回動可能に保持し、前記マッサージ部を前記側壁側へ付勢する付勢手段を有し、前記位置変更手段により、前記マッサージ部を使用してマッサージを行う使用状態と、前記マッサージ部の先端の位置が前記側壁の先端よりも前記身体支持部側へ位置する梱包状態と、を切替可能であることを特徴とする。
このような構成とすることで、本発明においては、マッサージ部の先端の位置を身体支持部側へ位置変更させることが可能なので、身体を前側から押圧するためにマッサージ部を突出して設置したとしても、梱包サイズを小さくすることが可能である。また、マッサージ部のみ位置変更させるので、簡単な構造で実施できる。
また、前記位置変更手段は、前記マッサージ部を回動可能に保持している。
このような構成とすることで、位置変更手段を回動可能とすることで、マッサージ部が身体支持部側へ回動し、マッサージ部の先端の位置を位置変更することが可能となる。
また、前記位置変更手段は、前記マッサージ部を側壁側へ付勢している。
このような構成とすることで、位置変更手段により、身体支持部側へ位置変更したマッサージ部を、側壁側へ付勢することで、マッサージ部が施療を行う位置に復帰することが可能となる。
【０００６】
また、前記位置変更手段は、前記マッサージ部を出退可能に保持している。
このような構成とすることで、位置変更手段により、出退可能とすることで、マッサージ部が身体支持部側へ、マッサージ部の先端の位置を位置変更することが可能となる。  
【０００９】
また、前記位置変更手段は、ロック機構を有しており、前記ロック機構は、前記マッサージ部の位置を維持できる。
このような構成とすることで、位置変更手段によって変更されたマッサージ部の位置を維持することが可能となる。
【００１０】
また、前記マッサージ機は、背凭れ部と、座部と、フットレストと、肘掛け部と、を有しており、前記背凭れ部と、前記座部と、前記フットレストと、前記肘掛け部には、夫々身体支持部が設けられており、少なくとも前記背凭れ部の身体支持部に前記マッサージ部が設けられる。
このような構成とすることで、背凭れ部、座部、フットレスト、肘掛け部には、それぞれ身体支持部が設けられており、身体支持部のある箇所にマッサージ部が設けられている。
【００１１】
また、前記マッサージ機は、前記座部に対して、背凭れ部を起倒させるリクライニング機構を有しており、前記マッサージ機は、背凭れ部を倒した状態で梱包され、梱包された前記背凭れ部のマッサージ部は、マッサージ部の先端の位置を身体支持部側へ位置変更させた状態となる。
このような構成とすることで、通常であれば、背凭れ部からマッサージ部が突出しているため、梱包サイズがマッサージ部の高さだけ大きくなってしまうが、本発明においては、マッサージ部の先端の位置を身体支持部側へ位置変更させることが可能なので、梱包サイズを小さくすることが可能であり、コンテナに梱包状態の製品を多くのせることが可能となる。
【発明の効果】
【００１２】
本発明においては、マッサージ部の先端の位置が前方へ突出しているので、身体を前方からマッサージすることが可能であり、マッサージ部の先端位置が身体支持部側へ位置変更させることで、梱包サイズを小さくすることが可能であり、コンテナに梱包状態の製品を多くのせることが可能となる。
【図面の簡単な説明】
【００１３】
【図１】本発明の実施の形態に係るマッサージ機を採用した椅子型マッサージ機を示す図である。
【図２】本発明の実施の形態に係るマッサージ機を採用した椅子型マッサージ機を示す図である。
【図３】本発明の実施形態に係る椅子型マッサージ機のブロック図を示すものである。
【図４】本発明の実施の形態に係るマッサージ機を示す図である。
【図５】本発明の実施の形態に係るマッサージ機を示す図である。
【図６】本発明の実施の形態に係るマッサージ機を示す図である。
【図７】本発明の実施の形態に係るマッサージ機を示す図である。
【図８】本発明の実施の形態に係るマッサージ機を示す図である。
【図９】本発明の実施の形態に係るマッサージ機を示す図である。
【図１０】本発明の実施の形態に係るマッサージ機を示す図である。
【図１１】従来の椅子型マッサージ機の梱包状態を示す図である。
【図１２】本発明の実施の形態に係るマッサージ機を採用した椅子型マッサージ機の梱包状態を示す図である。
【図１３】従来の椅子型マッサージ機の梱包状態を示す図である。
【図１４】本発明の実施の形態に係るマッサージ機を採用した椅子型マッサージ機の梱包状態を示す図である。
【発明を実施するための形態】
【００１４】
図１と図２は、本発明のマッサージ機１を採用した椅子型マッサージ機９を示している。
図２は、図１の椅子型マッサージ機９を簡略化し、一部の縫製を取り除いた図である。
なお、以下の説明で用いる方向の概念は、起立状態にある椅子型マッサージ機９に着座した被施療者から見たときの方向の概念と一致するものとし、左手側が「左」であり、右手側が「右」であり、頭部側が「上」であり、腰部側が「下」であり、被施療者の顔側が「前」であり、被施療者の後頭部側が「後」であり、その他の場合は適宜説明するものとする。
図１と図２の椅子型マッサージ機９は、被施療者の背中を支持する背凭れ部２と、被施療者が着座する座部３と、脹脛と足を支持するフットレスト４と、手や腕を支持する肘掛け部５と、頭部を支持する枕６が設けられている。
図１の椅子型マッサージ機９は、背凭れ部２と、座部３と、フットレスト４と、肘掛け部５と、枕６に、夫々マッサージ機１を有している。
図２の椅子型マッサージ機９は、背凭れ部２と、座部３と、フットレスト４と、肘掛け部５と、枕６に夫々設けたマッサージ機１を構成する身体支持部１０と、側壁１１と、マッサージ部１２が図示されている。
【００１５】
また、図２に示す椅子型マッサージ機９のマッサージ部１２には、後述するエアセル１５が設けられており、背凭れ部２の側方に設けられたマッサージ部１２のエアセル１５は、身体の肩から上腕を側方又は前方から押圧できるようになっている。
また座部３の側方に設けられたマッサージ部１２は、被施療者の大腿部の長手方向に長いエアセル１５であり、大腿部の長手方向に長いエアセルを設けることで、大腿部の側部の大部分を一つのマッサージ部１２でマッサージすることが可能となる。また、長手方向に長いエアセルとしているが、分割されていてもよく、大腿部の側部の長手方向に複数枚並べられていてもよい。
また、フットレスト４のマッサージ部１２のエアセル１５は、脚の長手方向にあわせて複数枚設けられている。このように設置することで、脚部から足先に亘ってマッサージすることが可能となる。
また、肘掛け部５のマッサージ部１２のエアセル１５は、前腕の側部に設けられており、前腕の側部をマッサージ部１２でマッサージすることが可能となっている。また、手部は、コ字状部分に挿入され、エアセル１５によってマッサージされる様になっている。
また、枕６のマッサージ部１２のエアセル１５は、被施療者の首の側部に設けられており、首の側部をマッサージすることが可能である。
【００１６】
図３は、本発明の実施形態に係る椅子型マッサージ機９のブロック図を示すものである。
前記椅子型マッサージ機９は、制御部６０を有している。
図３に示す制御部６０は、機械式の施療機構２０とリクライニング機構３０と昇降機構３３とエアポンプ３５を制御している。前記エアポンプ３５が送気する圧縮空気は、電磁弁３６を介してマッサージ用エアセル１５へ送られる。
前記椅子型マッサージ機９の前記背凭れ部２の内部には、機械式の施療機構２０を設けてもよい。
また、椅子型マッサージ機９は、背凭れ部２を座部３に対して起倒させるリクライニング機構３０を有しており、リクライニング機構３０は、リクライニング用モータ３１を有しており、リクライニング用モータ３１の駆動によって、背凭れ部２を起倒させる。リクライニング用モータ３１は、単に背凭れ部２のみを起倒するものであってもよいし、背凭れ部２の起倒とフットレスト４の回動を同時に行うものであってもよい。背凭れ部２とフットレスト４を連動させる場合は、背凭れ部２の倒伏に合わせて、フットレスト４が上昇回動し、背凭れ部２の起立に合わせて、フットレスト４が下降するように連動させるとよい。
また、椅子型マッサージ機９は、フットレスト４を座部３に対して昇降させる昇降機構３３を有していてもよい。昇降機構３３は、昇降モータ３４を有しており、昇降モータ３４の駆動によって、フットレスト４を昇降させる。この様に背凭れ部２のリクライニングとフットレスト４の昇降により、椅子型マッサージ機９の背凭れ部２の角度とフットレスト４の角度を使用者の好みに合う様に変更することが可能である。
【００１７】
図４，図５，図６，図７は、本発明の実施の形態に係るマッサージ機１を示している。
図４と図５に示すマッサージ機１は、身体支持部１０と、側壁１１と、マッサージ部１２と、を有している。
図６と図７に示すマッサージ機１は、側壁１１と、マッサージ部１２を図示している。
図４と図６は、マッサージ部１２の先端１２ａが、側壁１１の先端よりも突出した状態を示す図である。
図５と図７は、マッサージ部１２の先端１２ａが、身体支持部１０側へ移動した状態を示す図である。
図４と図５のマッサージ機１の外周部の破線は、仮想の梱包箱２７を示している。
図４の仮想の梱包箱２７は、マッサージ部１２が側壁１１に沿って、立上った状態（使用状態）で梱包箱２７に梱包されている。
図５の仮想の梱包箱２７は、マッサージ部１２の先端１２ａが身体支持部１０側へ移動した状態（梱包状態）で梱包箱２７に梱包されている。
また、図４，図５，図６，図７には、位置変更手段１３が示されている。図４，図５の位置変更手段１３は、左右にそれぞれが設けられており、左右で異なる内部構造を示している。図４，図５の様に、左右で異なる構造を採用してもよいし、同一の構造としてもよいし、組合せて採用してもよい。
【００１８】
前記身体支持部１０は、被施療者の身体を直接支えるものであり、クッション材や布で構成されている。前記身体支持部１０は、背凭れ部２、座部３、フットレスト４、肘掛け部５、枕６に設けられている。
背凭れ部２の身体支持部１０は、被施療者の頭部から腰を支持し、座部３の身体支持部１０は、被施療者の臀部から大腿部を支持し、フットレスト４の身体支持部１０は、被施療者の脹脛から足先までを支持し、肘掛け部５の身体支持部１０は、肘から手先までを支持し、枕６の身体支持部１０は、頭部から首までを支持する。
【００１９】
前記側壁１１は、前記身体支持部１０の一方の端部に立設されていてもよいし、前記身体支持部１０の両端部に立設されていてもよい。またフットレスト４の様に、身体支持部１０の両端部と中央に設けられていてもよく、身体の側部に位置するものであればよい。
前記側壁１１が、前記身体支持部１０の一方の端部のみに立設されている場合は、マッサージ機１の形状はＬ字型となり、前記側壁１１が、前記身体支持部１０の両端部に立設されている場合は、マッサージ機１の形状は、凹状となり、フットレスト４の様に、両端部と中央に設けられている場合は、マッサージ機１の形状は凹部が左右に並んだ山型となる。
前記側壁１１は、マッサージ部１２が被施療者に施療を行う際に、マッサージ部１２の反力を受け止める部分である。
前記側壁１１は、身体支持部１０へまっすぐ立設するだけでなく、角度をつけてハノ字状に設けてもよく、左右一対の両側壁１１の先端を接近させる方向や、離間させる方向であってもよく、マッサージ機１が設置される場所によって、適宜角度をつけて設けてもよい。例えば、側壁１１の角度の付け方が、身体を覆うような角度の付け方、つまり両側壁１１の先端を接近させるような角度の付け方では、マッサージ部による施療を強く感じることが可能であるし、側壁１１の角度の付け方が身体から離れるような角度の付け方、つまり、両側壁１１の先端が離間するような角度の付け方では、身体をマッサージ機１に載置しやすくなる。  
【００２０】
背凭れ部２に設けられた側壁１１は、被施療者の肩又は上腕の側部に沿う様に設置されている。
座部２に設けられた側壁１１は、被施療者の大腿部の側部に沿う様に設けられており、座部２の長手方向に亘って設けられている。
また、座部２の側壁１１は、肘掛け部５の側面を側壁１１としてもよく、肘掛け部４の側面を側壁１１とすることで、座部２の身体支持部１０を広く設けることができる。
フットレスト４は、左右の脚を施療する必要があるので、マッサージ機１が２つ並ぶ形状となる。フットレスト４に設けられた側壁１１は、脚と足の側部に沿う様に設けられており、膝付近から足先の長手方向に亘って設けられている。
また、マッサージ機１が２つ並ぶ形状であるため、脹脛の内側に沿う様に設けられた側壁１１は、左右のマッサージ機１で共用としてもよい。
また、フットレスト４は、脚部ユニットと足部ユニットで分割される場合がある。このような場合には、脚部ユニットの側壁１１は、脹脛の側部に沿う様に設けられ、膝付近から足首付近の長手方向に側壁１１が設けられる。足部ユニットの側壁１１は、足首から足先の側部に沿う様に設けられ、足首付近から足先付近の長手方向に側壁１１が設けられる。
肘掛け部５は、身体支持部１０と側壁１１によって、Ｌ字型となっている。肘掛け部５の側壁１１は、被施療者の小指側の方向に立設され、被施療者の手部と前腕の側部に沿う様に設けられており、手部から肘の長手方向に設けられている。
また、肘掛け部５の側壁１１は、左側の肘掛け部５の側壁１１の先端と右側の肘掛け部５の側壁１１の先端とが接近する方向に角度をつけてもよい。このように角度をつけることで、より効果的に腕を施療することが可能となる。
枕６の側壁１１は、被施療者の首に沿う様に設置されており、被施療者の首の長手方向に亘って設けられている。
また、枕６の側壁１１は、凹状となっており、首が入りやすいように、左右の側壁１１の先端が離間する方向に角度がつけられている。
【００２１】
また、前記マッサージ機１のマッサージ部１２は、ベース部１６と、エアセル１５と、マッサージ部１２を身体支持部１０側へ位置変更させる位置変更手段１３を有している。
前記エアセル１５は、座部３の下方に設けられたエアポンプ３５と電磁弁３６によって、エアーを供給，排気されるようになっている。
また、前記エアセル１５は、それぞれ独立して膨張収縮できるようになっていてもよいし、同時に膨張収縮させてもよい。
【００２２】
図４，図５，図６，図７に示す様に、マッサージ部１２のベース部１６は、第１ベース１６ａと、第２ベース１６ｂで構成されており、前記位置変更手段１３である回動機構１３ａによって、前記第２ベース１６ｂに対して前記第１ベース１６ａを回動させることが可能となっている。
回動機構１３ａはヒンジになっており、第１ベース１６ａを側壁１１に沿わす様に付勢する弾性体１７と、第１ベース１６ａのロック機構１４を有している。
また、図４，図５に示す左側の回動機構１３ａには弾性体１７が示されており、右側の回動機構１３ａにはロック機構１４が示されている。
また、図４のロック機構１４は、ロックが解除されている状態を示している。
また、図５のロック機構１４は、ロックされている状態を示している。
【００２３】
また、図６，図７は、マッサージ部１２の第１ベース１６ａは、エアセル１５を取り付けるための取付部１８と、前記第１ベース１６ａの端部に設けられた第１回動軸保持部２１とを有している。
第２ベース１６ｂは、側壁１１にベース部１６を固定するための固定部であり、前記第２ベース１６ｂの端部に設けられた第２回動軸保持部２２とを有している。
また、第１ベース部１６ａの第１回動軸保持部２１と第２ベース１６ｂの第２回動軸保持部２２には、回動軸２３を挿入する穴（図示せず）を有しており、前記穴（図示せず）に回動軸２３を挿入することで、第１ベース１６ａを第２ベース１６ｂに対して、回動可能としている。
また、回動機構１３ａは、第１ベース１６ａを側壁１１側へ付勢するバネ１７を有しており、第１ベース部１６ａが身体支持部１０側へ回動した場合に、第１ベース部１６ａを側壁１１に沿う様に復帰させることが可能となっている。
この様に、前記回動機構１３ａは、マッサージ部１２の先端１２ａが側壁１１の先端よりも突出した状態と、マッサージ部１２の先端１２ａを身体支持部１０側へ移動させ、前記側壁１１の先端と同じ位置か、側壁１１の先端よりも身体支持部１０側へ移動させることが可能である。
【００２４】
また、第２ベース１６ｂは、側壁１１の先端から身体支持部１０までの間の中間部分に固定されることが好ましい。
第２ベース１６ｂを側壁１１の中間部分に固定することで、第１ベース１６ａに設けられたエアセル１５の膨張方向が、被施療者に対してより前側になりやすい。
また、第２ベース１６ｂを身体支持部１０に近い位置で第２ベース１６ｂを側壁１１に固定すると、エアセル１５は、被施療者に対して横側から施療するようになる。
また、第２ベース１６ｂを側壁１１の先端に近い位置で第２ベース１６ｂを側壁１１に固定すると、側壁１１がエアセル１５の反力を受けることができないので、施療感が弱くなってしまうが、被施療者をより前側から施療することが可能となる。
【００２５】
また、第１ベース１６ａに設けられるエアセル１５は、エアセル１５の厚み方向に重合させてもよいし、エアセル１５を身体長手方向にあわせた長いエアセル１５を設置してもよいし、身体長手方向にあわせて複数枚のエアセル１５を設置してもよい。
また、図６と図７に示すマッサージ部１２は、大きなエアセルの中央部に小さなエアセルを重合しており、被施療者に接触するのは、大きなエアセルとなっている。
エアセル１５は膨張すると、エアセル１５の中央部が最も膨らむので、大きなエアセルの中央部に小さなエアセルを設置することで、大きなエアセルを効果的に被施療者に接触させてマッサージすることが可能となる。
図６と図７では、大きなエアセルと小さなエアセルが重なっていることを図示しているが、同じ大きさのエアセルを重合させるものであってもよい。
【００２６】
また、図４，図５，図６，図７には、位置変更手段１３である回動機構１３ａのロック機構１４が図示されている。
前記回動機構１３ａのロック機構１４は、前記マッサージ部１２を位置変更した状態で、固定することが可能である。
図４のロック機構１４は、ロックが解除された状態を示しており、身体支持部１０と側壁１１の間を自由に回動できる状態である。
また図５のロック機構１４は、マッサージ部１２の角度がロックされた状態である。
図４，図５のロック機構１４は、ラチェット機構であり、前記第２ベース１６ｂに歯止め部２５が設けられており、前記第１ベース１６ａに歯車２４が設けられており、歯車２４の歯に、前記歯止め部２５が当接することによって、歯車２４が逆戻りしないため、マッサージ部１２を位置変更した状態で固定することが可能となっている。
このため、図５に示す姿勢でマッサージ部１２を固定するだけでなく、身体支持部１０と側壁１１の間で自由に回動角度を固定することも可能である。
また、マッサージ部１２の回動角度の固定を解除する場合は、歯止め部２５を歯車２４の歯から離間させると固定が解除される。
【００２７】
また、図６と図７には、位置変更手段１３であるスライド機構１３ｂが図示されている。
図６は、マッサージ機１のマッサージ部１２の先端１２ａが、側壁１１の先端よりも前進した状態を示す図である。
図７は、マッサージ機１のマッサージ部１２の先端１２ａが、側壁１１の先端よりも後退した状態を示す図である。
このように、位置変更手段１３は、マッサージ部１２を前進、後退させるスライド機構１３ｂであってもよい。スライド機構１３ｂは、側壁１１とマッサージ部１２にそれぞれスライドレール２６が設ける構成となっている。
このような構成とすることで、マッサージ部１２を簡単に前後し、出退可能となる。
そして、マッサージ部１２を回動機構１３ａによって回動させなくても、スライド機構１３ｂで後退させることで、マッサージ機１を梱包した際に、梱包サイズを小さくすることが可能となる。
【００２８】
また、前記回動機構１３ａとスライド機構１３ｂを同時に設けることも可能である。
このような構成とすることで、施療の際に、スライド機構１３ｂを操作して、操作した位置によって身体の横方向又は上方から押圧するかを選択できるし、前記回動機構１３ａのロック機構１４によって、マッサージ部１２の回動角度を固定してマッサージすることも可能である。
このように、被施療者の好むような角度、位置でマッサージすることが可能となる。
【００２９】
図８と図９と図１０は、マッサージ部１２を示す図である。
図８は、角度調整機構１３ｃを示す図である。また、身体支持部１０と側壁１１は、破線にしている。
図９は、マッサージ部１２を角度調整した図である。複数のマッサージ部１２を示しているが、一点鎖線のマッサージ部１２については、図番を省略している。
図１０も、角度調整機構１３ｃを示す図である。角度調整機構１３ｃの回動軸４１や回動規制部４３が確認しやすいように、マッサージ部１２を身体支持部１０側へ回動させている。
図８，図９，図１０に示すマッサージ機１のマッサージ部１２は、身体支持部１０と、身体支持部１０に立設された側壁１１と、を有し、側壁１１には、先端が側壁１１よりも突出したマッサージ部１２が設けられ、マッサージ部１２はマッサージ部１２の先端１２ａの先端の位置を身体支持部１０側へ位置変更させる位置変更手段１３である角度調整機構１３ｃが図示されている。マッサージ部１２のベース部１６は、第１ベース１６ａと、第２ベース１６ｂで構成されており、角度調整機構１３ｃによって、マッサージ部１２を身体支持部１０側へ回動させることが可能となっている。
角度調整機構１３ｃは、前記第２ベース１６ｂと側壁１１との間に設けられており、第２ベース部１６ｂは、角度調整機構１３ｃを介して側壁１１に設けられる。つまり、マッサージ部１２は、側壁１１に角度調整機構１３ｃを介して取り付けられる。
また、角度調整機構１３ｃは、身体支持部１０の幅方向と同じ方向に回動軸４１を有している。言い換えれば、側壁１１の厚み方向に回動軸４１を有している。この様に幅方向の回動軸４１を中心にマッサージ部１２が回動し、マッサージ部１２の先端１２ａが身体支持部１０側へ移動することとなる。また、回動機構１３ａは身体支持部１０の幅方向に直交する回動軸２３を有しており、幅方向に直交する回動軸２３を中心にマッサージ部１２が回動し、マッサージ部１２の先端１２ａが身体支持部１０へ回動することが可能である。
この様に、角度調整機構１３ｃは、前記マッサージ部１２を身体支持部１０側へ回動させることが可能であり、図９に示す様に、前記側壁１１の先端よりもマッサージ部１２の先端１２ａを身体支持部１０側へ接近させることが可能となっているため、マッサージ機１のサイズをコンパクトにすることが可能であり、梱包サイズを小さくすることができる。
【００３０】
前記角度調整機構１３ｃは、取付板４２と、回動軸４１と、回動規制部４３を有している。前記取付板４２には、回動軸４１を設けるための穴（図示せず）と、回動規制部４３を設けるための穴が設けられている。また、第２ベース１６ｂも取付板４２と同様に穴が設けられている。取付板４２の回動規制部４３を設けるための穴は、長穴４４となっている。この長穴４４にも軸４５が設けられており、前記軸４５は、ボルトになっており、ナットで固定される。前記取付板４２と第２ベース１６ｂは、前記回動軸４１と前記軸４５によって、一体化される。また、回動軸４１の周りに前記軸４５が配置され、前記回動軸４１を中心にマッサージ部１２が回動し、前記長穴４４に設けられた前記軸４５は、長穴４４の範囲内でマッサージ部１２の移動を許容する。
また、前記第２ベース１６ｂと取付板４２の間には、皿バネ４６が設けられている。この皿バネ４６は、前記軸４５上に設けられており、取付板４２側と第２ベース１６ｂ側に夫々設けられている。このような状態で、前記軸４５のナットを締め込むことで、皿バネ４６が圧縮された状態となり、皿バネ４６と皿バネ４６の圧によって、角度調整した姿勢で、マッサージ部１２を保持することが可能となる。
このように角度調整を可能とすることでマッサージ部１２の角度を被施療者が好む角度にすることが可能となる。
また、前述の回動機構１３ａやスライド機構１３ｂに代えて角度調整機構１３ｃを設けることも可能であるし、回動機構１３ａとスライド機構１３ｂと角度調整機構１３ｃを同時に設けることも可能である。
【００３１】
図１１と図１２は、椅子型マッサージ機９が梱包された梱包状態を示す図である。
図１１と図１２の椅子型マッサージ機９は、仮想の梱包箱２７に覆われている図である。
図１１と図１２の椅子型マッサージ機９は、同じリクライニング姿勢をとっており、この状態で梱包される。梱包状態は、背凭れ部２が倒れ、フットレスト４が垂下した状態である。
図１１の椅子型マッサージ機９の仮想の梱包箱２７は破線で示されており、図１２の椅子型マッサージ機９の仮想の梱包箱２７は、一点鎖線で示されており、図１２には、図１１の梱包箱２７も同時に示している。
図１１の梱包状態の椅子型マッサージ機９のマッサージ機１は、マッサージ部１２の先端１２ａをマッサージ機１の身体支持部１０側へ移動させておらず、図１２の梱包状態の椅子型マッサージ機９のマッサージ機１は、マッサージ部１２の先端１２ａをマッサージ機１の身体支持部１０側へ移動させている。
図１１の椅子型マッサージ機９は梱包状態において、一番高くなる位置が背凭れ部２の側部に設けられた側壁１１のマッサージ部１２の先端１２ａとなっている。
これに対して、図１２の椅子型マッサージ機９は梱包状態において、一番高くなる位置が背凭れ部２の側部に設けられた側壁１１の先端となっている。
図１１の様な状態で梱包された場合、椅子型マッサージ機９は、マッサージ部１２の先端１２ａが側壁１１に沿って立上った状態となったままなので、マッサージ部１２の先端１２ａの位置によって、梱包サイズが大きくなってしまうが、図１２の様に、マッサージ部１２の先端１２ａを身体支持部１０側へ移動させた場合は、梱包サイズを小さくすることができる。
【００３２】
図１３と図１４に示す椅子型マッサージ機９には、前記背凭れ部２と、前記座部３と、前記フットレスト４と、前記肘掛け部５と、前記枕６が設けられている。
図１３と図１４は、椅子型マッサージ機９は、同じリクライニング姿勢をとっており、背凭れ部２が倒れ、フットレスト４が垂下した状態となっている。
また、図１３と図１４の椅子型マッサージ機９は仮想の梱包箱２７に覆われている。
図１３の椅子型マッサージ機９の梱包箱２７は破線で示されており、図１４の椅子型マッサージ機９の梱包箱２７は、一点鎖線で示されており、図１４には、図１３の梱包箱２７も同時に示している。
図１３の梱包状態の椅子型マッサージ機９は、マッサージ部１２の先端１２ａをマッサージ機１の身体支持部１０側へ移動させておらず、図１４の梱包状態の椅子型マッサージ機９のマッサージ機１は、マッサージ部１２の先端１２ａをマッサージ機１の身体支持部１０側へ移動させている。
図１３の椅子型マッサージ機９は、梱包箱２７に覆われた状態で、一番高くなる位置が肘掛け部５のマッサージ部１２の先端１２ａとなっている。
これに対して、図１４の椅子型マッサージ機９は、梱包箱２７に覆われた状態で、一番高くなる位置が肘掛け部５の先端となっている。
図１３の様な状態で梱包された場合、椅子型マッサージ機９は、マッサージ部１２の先端１２ａが立上った状態となったままなので、マッサージ部１２の先端１２ａの位置によって、梱包サイズが大きくなってしまうが、図１４の様に、マッサージ部１２の先端１２ａを身体支持部１０側へ移動させた場合は、梱包サイズを小さくすることができる。
【産業上の利用可能性】
【００３３】
梱包サイズを小さくすることが可能であり、コンテナに梱包状態の製品を多くのせることが可能となるマッサージ機を提供できる。
【符号の説明】
【００３４】
１  マッサージ機
２  背凭れ部
３  座部
４  フットレスト
５  肘掛け部
６  枕
１０  身体支持部  
１１  側壁
１２  マッサージ部
１２ａ  先端
１３  位置変更手段
１３ａ  回動機構
１３ｂ  スライド機構
１３ｃ  角度調整機構
１４  ロック機構
１７  弾性体，バネ
３０  リクライニング機構
【図１】
0006491851.tif 000002
【図２】
0006491851.tif 000003
【図３】
0006491851.tif 000004
【図４】
0006491851.tif 000005
【図５】
0006491851.tif 000006
【図６】
0006491851.tif 000007
【図７】
0006491851.tif 000008
【図８】
0006491851.tif 000009
【図９】
0006491851.tif 000010
【図１０】
0006491851.tif 000011
【図１１】
0006491851.tif 000012
【図１２】
0006491851.tif 000013
【図１３】
0006491851.tif 000014
【図１４】
0006491851.tif 000015